(57)【特許請求の範囲】
【請求項１】
Ｘ線を発生するＸ線管と、前記Ｘ線管から発生されたＸ線を検出するＸ線検出器と、前記Ｘ線管と前記Ｘ線検出器とを支持するフレームと、前記Ｘ線検出器により検出されたＸ線の強度に関するデータを収集する収集回路と、を有する架台装置と、
被検体が載置された天板を移動する寝台と、
血流速計測装置により計測された造影剤スキャンの撮影範囲における前記被検体の血流速に基づいて前記造影剤スキャンの撮影条件を決定する決定部と、
前記決定された撮影条件に従い前記造影剤スキャンを実行するために前記架台装置と前記寝台とを制御する撮影制御部と、
を具備するＸ線コンピュータ断層撮影装置であって、
前記血流速計測装置により計測された血流速の分布を示す血流速分布画像に基づいて、モニタリングスキャンにおける造影剤の濃度をモニタリングするためのＲＯＩをＣＴ画像の血管領域に設定する設定部を更に備える、
Ｘ線コンピュータ断層撮影装置。
【請求項２】
前記決定部は、前記造影剤スキャンの撮影範囲に含まれる前記天板の長軸方向に関する複数のスライス位置各々において所定の造影状態となるように前記撮影条件を決定する、請求項１記載のＸ線コンピュータ断層撮影装置。
【請求項３】
前記決定部は、前記造影剤スキャンがヘリカルスキャンで行われる場合、前記複数のスライス位置各々において前記所定の造影状態となるように、前記撮影条件のうちのヘリカルピッチを決定する、請求項２記載のＸ線コンピュータ断層撮影装置。
【請求項４】
前記決定部は、前記造影剤スキャンがワイドボリュームスキャンで行われる場合、前記複数のスライス位置各々において前記所定の造影状態となるように、前記撮影条件のうちの各ボリュームスキャン間の遅延時間を決定する、請求項２記載のＸ線コンピュータ断層撮影装置。
【請求項５】
前記所定の造影状態は、造影剤の濃度が所定の濃度を上回っている状態である、請求項３又は４記載のＸ線コンピュータ断層撮影装置。
【請求項６】
モニタリング部を更に備え、
前記決定部は、前記血流速と、前記モニタリングスキャンの撮影範囲と前記造影剤スキャンの撮影範囲との間の距離と、に基づいて前記モニタリングスキャンの撮影範囲から前記造影剤スキャンの撮影範囲に前記造影剤が到達する予測時間を決定し、
前記モニタリング部は、前記ＲＯＩにおける前記造影剤の濃度をモニタリングし、
前記撮影制御部は、前記造影剤の濃度が閾値に達した時点から前記予測時間の経過を契機として前記造影剤スキャンを実行するために前記架台装置と前記寝台とを制御する、
請求項１記載のＸ線コンピュータ断層撮影装置。
【請求項７】
前記血流速は、前記被検体の体軸方向に関して離散的又は連続的に計測される、請求項１記載のＸ線コンピュータ断層撮影装置。
【請求項８】
Ｘ線を発生するＸ線管と、前記Ｘ線管から発生されたＸ線を検出するＸ線検出器と、前記Ｘ線管と前記Ｘ線検出器とを支持するフレームと、前記Ｘ線検出器により検出されたＸ線の強度に関するデータを収集する収集回路と、を有する架台装置と、
被検体が載置された天板を移動する寝台と、
造影剤スキャンの撮影範囲における前記被検体の血流速を計測する計測部と、
前記計測された血流速に基づいて前記造影剤スキャンの撮影条件を決定する決定部と、
前記決定された撮影条件に従い前記造影剤スキャンを実行するために前記架台装置と前記寝台とを制御する撮影制御部と、
を具備する医用診断システムであって、
前記計測された血流速の分布を示す血流速分布画像に基づいて、モニタリングスキャンにおける造影剤の濃度をモニタリングするためのＲＯＩをＣＴ画像の血管領域に設定する設定部を更に備える、
医用診断システム。
【発明の詳細な説明】
【技術分野】
【０００１】
本発明の実施形態は、Ｘ線コンピュータ断層撮影装置及び医用診断システムに関する。
【背景技術】
【０００２】
Ｘ線コンピュータ断層撮影装置により、患者等の被検体に造影剤を注入してＸ線ＣＴスキャンを行う造影剤スキャンが行われている。造影剤の濃度が適切になるタイミングで造影剤スキャンを行うため、造影剤スキャンの撮影範囲よりも上流側でモニタリングスキャンが行われる。モニタリングスキャンによりモニタリングＲＯＩの造影剤の濃度をモニタリングし、所定の濃度に到達したことを契機として造影剤スキャンに移行している。
【０００３】
より適切に造影剤スキャンの開始タイミングを制御するため、モニタリングスキャンにおいて収集されたＣＴ画像に基づいて血流速を算出し、算出された血流速と、モニタリングスキャンの撮影範囲と造影剤スキャンの撮影範囲との間の強度とに基づいて開始タイミングを決定する技術が知られている。しかしながら、造影剤スキャンの撮影範囲における血流を反映できず、適切な撮影条件で造影剤スキャンを行うことはできない。
【先行技術文献】
【特許文献】
【０００４】
【特許文献１】特開２００３−１５９２４８号公報
【特許文献２】特開２００１−０５４５１９号公報
【特許文献３】特開２００５−２２４４５９号公報
【特許文献４】特開２０１４−０２３９６２号公報
【特許文献５】特開２０１０−２４６７２５号公報
【特許文献６】特開２０１３−１４３９７８号公報
【発明の概要】
【発明が解決しようとする課題】
【０００５】
目的は、造影剤スキャンの精度の向上を可能とするＸ線コンピュータ断層撮影装置及び医用診断システムを提供することにある。
【課題を解決するための手段】
【０００６】
本実施形態に係るＸ線コンピュータ断層撮影装置は、Ｘ線を発生するＸ線管と、前記Ｘ線管から発生されたＸ線を検出するＸ線検出器と、前記Ｘ線管と前記Ｘ線検出器とを支持するフレームと、前記Ｘ線検出器により検出されたＸ線の強度に関するデータを収集する収集回路と、を有する架台装置と、被検体が載置された天板を移動する寝台と、血流速計測装置により計測された造影剤スキャンの撮影範囲における前記被検体の血流速に基づいて前記造影剤スキャンの撮影条件を決定する決定部と、前記決定された撮影条件に従い前記造影剤スキャンを実行するために前記架台装置と前記寝台とを制御する撮影制御部と、を具備する。
【図面の簡単な説明】
【０００７】
【図１】図１は、本実施形態に係る医用診断システムの構成を示す図である。
【図２】図２は、本実施形態に係る医用情報システムによる検査シーケンスの流れを示す図である。
【図３】図３は、血流速計測の計測位置、モニタリングスキャンの撮影範囲及び造影剤スキャンの撮影範囲の位置関係を示す図である。
【図４】図４は、ステップＳ１において血流計測器により計測される血流速の時間変化を示す図である。
【図５】図５は、ステップＳ３においてシステム制御回路により行われる移行時間の決定処理を示す図である。
【図６】図６は、ステップＳ３においてシステム制御回路により行われる造影剤推定存在範囲を示す図である。
【図７】図７は、ステップＳ３においてシステム制御回路により行われる、造影剤スキャンがヘリカルスキャンの場合におけるヘリカルピッチの決定処理を説明するための図である。
【図８】図８は、ステップＳ３においてシステム制御回路により行われる、造影剤スキャンがワイドボリュームスキャンの場合における各ボリュームスキャン間の遅延時間の決定処理を説明するための図である。
【図９】図９は、ステップＳ４においてシステム制御回路によりモニタリングされる造影剤の時間濃度曲線を示す図である。
【図１０】図１０は、応用例に係る血流速計測の計測範囲、モニタリングスキャンの撮影範囲及び造影剤スキャンの撮影範囲の位置関係を示す図である。
【図１１】図１１は、Ｚ軸方向に連続した血流速分布画像を模式的に示す図である。
【図１２】図１２は、応用例に係る血流計測器により計測された血流速の分布を示す図である。
【発明を実施するための形態】
【０００８】
以下、図面を参照しながら本実施形態に係わるＸ線コンピュータ断層撮影装置及び医用診断システムを説明する。
【０００９】
図１は、本実施形態に係る医用診断システムの構成を示す図である。図１に示すように、本実施形態に係る医用診断システムは、Ｘ線コンピュータ断層撮影装置と血流速計測器１００とを有する。図１に示すように、本実施形態に係るＸ線コンピュータ断層撮影装置は、架台装置１０とコンソール５０とを有する。例えば、架台装置１０はＣＴ検査室に設置され、コンソール５０はＣＴ検査室に隣接する制御室に設置される。架台装置１０とコンソール５０とは互いに通信可能に有線又は無線で接続されている。架台装置１０は、被検体ＳをＸ線ＣＴスキャンするための構成を有するスキャン装置である。コンソール５０は、架台装置１０を制御するコンピュータである。
【００１０】
図１に示すように、架台装置１０は、撮影空間（field of view）をなす開口が形成された略円筒形状の回転フレーム１１を有する。図１に示すように、回転フレーム１１には、開口を挟んで対向するように配置されたＸ線管１３とＸ線検出器１５とが取付けられている。回転フレーム１１は、アルミ等の金属により円環形状に形成された金属枠である。Ｘ線管１３とＸ線検出器１５とは、例えば、回転フレーム１１に形成された凹部に嵌め込まれても良いし、ネジ等の締結具により締結されても良い。より詳細には、架台装置１０は、アルミ等の金属により形成されたメインフレーム（図示せず）を有する。回転フレーム１１は、当該メインフレームにより中心軸Ｚ回りに軸受等を介して回転可能に支持されている。メインフレームの回転フレーム１１との接触部には環状電極（図示せず）が設けられている。メインフレームの当該接触部には環状電極に摺り接触するように導電性の摺動子（図示せず）が取り付けられている。当該環状電極及び摺動子を介して、架台装置１０に収容された電源装置（図示せず）からの電力が回転フレーム１１に搭載されたＸ線検出器１５や高電圧発生器１７等の各種機器に供給される。
【００１１】
Ｘ線管１３は、高電圧発生器１７に接続されている。高電圧発生器１７は、例えば、回転フレーム１１に取付けられている。高電圧発生器１７は、架台の電源装置（図示せず）から環状電極及び摺動子を介して供給された電力から、架台制御回路２７による制御に従いＸ線管１３に印加する高電圧を発生しフィラメント加熱電流を供給する。高電圧発生器１７とＸ線管１３とは高圧ケーブル（図示せず）を介して接続されている。高電圧発生器１７により発生された高電圧は、高圧ケーブルを介してＸ線管１３に印加される。また、高電圧発生器１７により発生されたフィラメント加熱電流は、高圧ケーブルを介してＸ線管１３に印加される。
【００１２】
Ｘ線管１３のＸ線照射窓の前方には前置コリメータ１９が取付けられている。前置コリメータ１９は、Ｘ線管１３から放射されたＸ線の照射野を限定する。より詳細には、前置コリメータ１９は、Ｘ線を減弱する物質により形成された絞り羽根を有する。絞り羽根により形成される開口により照射野が規定される。絞り羽根は、Ｘ線を減弱する物質であれば如何なる物質により形成されても良いが、例えば、鉛等の重金属により形成されると良い。
【００１３】
回転フレーム１１は、回転駆動装置２１からの動力を受けて中心軸Ｚ回りに一定の角速度で回転する。回転駆動装置２１としてダイレクトドライブモータやサーボモータ等の任意のモータが用いられる。回転駆動装置２１は、例えば、架台装置１０に収容されている。回転駆動装置２１は、架台制御回路２７からの駆動信号を受けて回転フレーム１１を回転させるための動力を発生する。
【００１４】
回転フレーム１１の開口（bore）にはＦＯＶ（field of view）が設定される。回転フレーム１１の開口内には寝台２３に支持された天板が挿入される。天板には被検体Ｓが載置される。寝台２３は、寝台駆動装置２５からの動力を受けて中心軸Ｚ回りに一定の角速度で回転する。寝台駆動装置２５としてサーボモータ等の任意のモータが用いられる。寝台駆動装置２５は、例えば、寝台２３に収容されている。寝台駆動装置２５は、架台制御回路２７からの駆動信号を受けて天板を中心軸Ｚに沿って移動させるための動力を発生する。天板に載置された被検体Ｓの撮像部位がＦＯＶ内に含まれるように天板が位置決めされる。
【００１５】
Ｘ線検出器１５は、Ｘ線管１３から発生されたＸ線を検出する。具体的には、Ｘ線検出器１５は、２次元湾曲面上に配列された複数の検出器画素（図示せず）を有している。各検出器画素は、シンチレータと光電変換素子とを有する。シンチレータは、Ｘ線を蛍光に変換する物質である。シンチレータ物質としては、例えば、ＮａＩやＢＧＯ等が用いられる。シンチレータは、入射Ｘ線を、当該入射Ｘ線の強度に応じた個数の蛍光光子に変換する。光電変換素子は、蛍光を増幅して電気信号に変換する回路素子である。光電変換素子としては、例えば、光電子増倍管やフォトダイオード等が用いられる。なお、検出器画素は、上記の通りＸ線を光に変換してから検出する間接検出型でも良いし、Ｘ線を直接的に電気信号に変換する直接変換型であっても良い。直接検出型の検出器画素としては、例えば、半導体の両端に電極が取り付けられてなる半導体ダイオードを含むタイプが適用可能である。
【００１６】
Ｘ線検出器１５にはデータ収集回路２９が接続されている。データ収集回路２９は、Ｘ線検出器１５から、Ｘ線検出器１５により検出されたＸ線の強度に応じたデータ（以下、生データと呼ぶ）をビュー毎に収集する。具体的には、データ収集回路２９は、例えば、検出器画素毎に積分回路（図示せず）とＡ／Ｄ変換器（図示せず）とを有する。積分回路は、検出器画素からの電気信号をビュー毎に積分する。Ａ／Ｄ変換器は、積分された電気信号をアナログ信号からデジタル信号（生データ）に変換する。これにより、ビュー毎の生データが収集される。生データは、生成元の検出器画素のチャンネル番号、列番号及び収集されたビューを示すビュー番号により識別されたＸ線の強度を示すデジタル値のセットである。生データは、例えば、架台装置１０に収容された非接触データ伝送装置（図示せず）を介してコンソール５０に供給される。なお、データ収集回路２９には前置増幅器やＩＶ変換器等の他の回路素子が実装されていても良い。データ収集回路２９は、ＡＳＩＣ（Application Specific Integrated Circuit）等の半導体集積回路を有し、当該半導体集積回路に上記の積分回路やＡ／Ｄ変換器等の回路素子が実装される。
【００１７】
架台制御回路２７は、コンソール５０のシステム制御回路６３からの撮影条件に従いスキャンを実行するために高電圧発生器１７、回転駆動装置２１、寝台駆動装置２５及びデータ収集回路２９を同期的に制御し、被検体ＳについてＸ線ＣＴスキャンを行う。ハードウェア資源として、架台制御回路２７は、ＣＰＵ（Central Processing Unit）やＭＰＵ（Micro Processing Unit）等の処理装置（プロセッサ）とＲＯＭ（Read Only Memory）やＲＡＭ（Random Access Memory）等の記憶装置（メモリ）とを有する。架台制御回路２７は、架台装置１０に設けられても良いし、コンソール５０に設けられても良いし、架台装置１０及びコンソール５０とは別体の装置に設けられても良い。また、架台制御回路２７は、特定用途向け集積回路（Application Specific Integrated Circuit：ＡＳＩＣ）やフィールド・プログラマブル・ゲート・アレイ（Field Programmable Logic Device：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。処理装置は、記憶装置に保存されたプログラムを読み出して実行することで上記機能を実現する。なお、記憶装置にプログラムを保存する代わりに、処理装置の回路内にプログラムを直接組み込むように構成しても構わない。この場合、処理装置は、当該回路内に組み込まれたプログラムを読み出して実行することで上記機能を実現する。
【００１８】
図１に示すように、コンソール５０は、バス（bus）を介して接続された画像再構成装置５１、画像処理装置５３、表示回路５５、入力回路５７、通信回路５９、主記憶回路６１及びシステム制御回路６３を有する。画像再構成装置５１、画像処理装置５３、表示回路５５、入力回路５７、通信回路５９、主記憶回路６１及びシステム制御回路６３間のデータ通信は、バスを介して行われる。
【００１９】
画像再構成装置５１は、架台装置１０からの生データに基づいて被検体Ｓに関するＣＴ画像を再構成する。具体的には、画像再構成装置５１は、データ記憶回路５１１を有する。データ記憶回路５１１は、架台装置１０から伝送された生データを記憶するＨＤＤ（hard disk drive）やＳＳＤ（solid state drive）、集積回路記憶装置等の記憶装置である。また、画像再構成装置５１は、ハードウェア資源として、データ記憶回路５１１の他に、ＣＰＵやＭＰＵ、ＧＰＵ（Graphics Processing Unit）等の処理装置（プロセッサ）とＲＯＭやＲＡＭ等の記憶装置（メモリ）とを有しても良い。また、画像再構成装置５１は、ＡＳＩＣやＦＰＧＡ、ＣＰＬＤ、ＳＰＬＤにより実現されても良い。当該処理装置は、当該記憶装置に保存されたプログラムを読み出して実行することで前処理機能５１３と再構成処理機能５１５とを実現する。前処理機能５１３において画像再構成装置５１は、生データに対数変換やメタルアーチファクト低減処理等の前処理を行う。再構成処理機能５１５において画像再構成装置５１は、前処理後の生データに基づいてＸ線減弱係数に依存するＣＴ値の空間分布を表現すＣＴ画像を発生する。画像再構成アルゴリズムとしては、ＦＢＰ（filtered back projection）法やＣＢＰ（convolution back projection）法等の解析学的画像再構成法や、ＭＬ−ＥＭ（maximum likelihood expectation maximization）法やＯＳ−ＥＭ（ordered subset expectation maximization）法等の統計学的画像再構成法等の既存の画像再構成アルゴリズムが用いられれば良い。なお、画像再構成装置５１は、前処理機能５１３のための処理回路と再構成処理機能５１５のための処理回路とを有しても良い。
【００２０】
画像処理装置５３は、画像再構成装置５１により再構成されたＣＴ画像に種々の画像処理を施す。例えば、画像処理装置５３は、ＣＴ画像がボリュームデータの場合、当該ＣＴ画像にボリュームレンダリングや、サーフェスボリュームレンダリング、画像値投影処理、ＭＰＲ（Multi-Planer Reconstruction）処理、ＣＰＲ（Curved MPR）処理等の３次元画像処理を施して表示画像を発生する。画像処理装置５３は、ハードウェア資源として、ＣＰＵやＭＰＵ、ＧＰＵ等の処理装置（プロセッサ）とＲＯＭやＲＡＭ等の記憶装置（メモリ）とを有する。また、画像処理装置５３は、ＡＳＩＣやＦＰＧＡ、ＣＰＬＤ、ＳＰＬＤにより実現されても良い。
【００２１】
表示回路５５は、２次元のＣＴ画像や表示画像等の種々のデータを表示する。具体的には、表示回路５５は、表示インタフェース回路と表示機器とを有する。表示インタフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００２２】
入力回路５７は、ユーザからの各種指令を入力する。具体的には、入力回路５７は、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介してシステム制御回路６３に供給する。なお、入力回路５７は、コンソール５０に設けられても良いし、架台装置１０に設けられても良い。
【００２３】
通信回路５９は、図示しないネットワーク等を介して接続された血流速計測装置１００との間でデータ通信を行う。具体的には、通信回路５９は、血流速計測装置１００により計測された被検体の血流速のデータを受信する。また、通信回路５９は、図示しないネットワークを介して、図示しないＰＡＣＳサーバ等の他の外部装置との間でデータ通信可能に接続されても良い。データ通信の規格は、如何なる規格であっても良いが、例えば、ＤＩＣＯＭ（digital imaging and communication in medicine）が挙げられる。
【００２４】
本実施形態に係る血流速計測器１００は、患者等の被検体の血流速を計測できる装置であればＸ線コンピュータ断層撮影装置以外の如何なる装置であっても良い。例えば、血流速計測器１００としては、ドップラー現象を利用して血流速を計測する超音波診断装置が利用可能である。具体的には、血流速計測器１００は、造影剤スキャンの撮影範囲における被検体の血流速を計測する。また、血流速計測器１００は、計測された血流速の空間分布を示す血流速画像のデータを生成しても良い。計測された血流速及び血流速画像のデータは、ネットワークを介して通信回路に送信される。なお、計測された血流速及び血流速画像のデータは、記録媒体を介して主記憶回路６１に記憶されても良い。
【００２５】
主記憶回路６１は、種々の情報を記憶するＨＤＤやＳＳＤ、集積回路記憶装置等の記憶装置である。また、主記憶回路６１は、ＣＤ−ＲＯＭドライブやＤＶＤドライブ、フラッシュメモリ等の可搬性記憶媒体との間で種々の情報を読み書きする駆動装置等であっても良い。例えば、主記憶回路６１は、血流計測器１００からの血流速及び血流速画像のデータを記憶する。また、主記憶回路６１は、本実施形態に係るＸ線ＣＴスキャンに関する制御プログラム等を記憶する。
【００２６】
システム制御回路６３は、ハードウェア資源として、ＣＰＵやＭＰＵ等の処理装置（プロセッサ）とＲＯＭやＲＡＭ等の記憶装置（メモリ）とを有する。また、システム制御回路６３は、ＡＳＩＣやＦＰＧＡ、ＣＰＬＤ、ＳＰＬＤにより実現されても良い。システム制御回路６３は、本実施形態に係るＸ線コンピュータ断層撮影装置の中枢として機能する。具体的には、システム制御回路６３は、主記憶回路６１に記憶されている制御プログラムを読み出してメモリ上に展開し、展開された制御プログラムに従ってＸ線コンピュータ断層撮影装置の各部を制御する。
【００２７】
具体的には、システム制御回路６３は、モニタリングＲＯＩ設定機能６３１、モニタリング機能６３３、撮影条件決定機能６３５及び制御機能６３７を有している。
【００２８】
モニタリングＲＯＩ設定機能６３１においてシステム制御回路６３は、モニタリングスキャンにおける造影剤の濃度のモニタリングのためのＲＯＩ（以下、モニタリングＲＯＩと呼ぶ）をＣＴ画像に設定する。
【００２９】
モニタリング機能６３３においてシステム制御回路６３は、モニタリングＲＯＩにおける造影剤の濃度をモニタリングする。具体的には、システム制御回路６３は、モニタリングＲＯＩの画素値に基づく造影剤濃度をモニタリングし、造影剤濃度を閾値に対して比較する。造影剤濃度が閾値を上回るタイミングがモニタリングスキャンから造影剤スキャンへの移行の契機となる。
【００３０】
撮影条件決定機能６３５においてシステム制御回路６３は、血流速計測器１００により計測された造影剤スキャンの撮影範囲における被検体Ｓの血流速に基づいて、造影剤スキャンの撮影条件を決定する。
【００３１】
制御機能６３７においてシステム制御回路６３は、架台装置１０、画像再構成装置５１、画像処理装置５３、表示回路５５、入力回路５７、通信回路５９及び主記憶回路６１を制御する。
【００３２】
画像再構成装置５１、画像処理装置５３及びシステム制御回路６３は、コンソール５０内の単一の回路に集約されても良いし、複数の回路に分散されても良い。また、画像再構成装置５１、画像処理装置５３及びシステム制御回路６３は、コンソール５０内の単一の基板に集約されても良いし、複数の基板に分散されても良い。
【００３３】
以下、本実施形態に係る医用情報システムの動作例について説明する。図２は、本実施形態に係る医用情報システムによる検査シーケンスの流れを示す図である。本実施形態に係る検査シーケンスは、血流速計測器１００による血流速計測、Ｘ線コンピュータ断層撮影装置によるモニタリングスキャン及びＸ線コンピュータ断層撮影装置による造影剤スキャンを含む。
【００３４】
図２に示すように、まず、血流速計測器１００により被検体の血流速が計測される（ステップＳ１）。血流速計測器１００による血流速計測は、Ｘ線コンピュータ断層撮影装置が設置されているＣＴ検査室で行われても良いし、超音波検査室等の他の検査室で行われても良い。また、血流速計測器１００による血流速計測は、Ｘ線コンピュータ断層撮影装置が設置されている施設とは異なる他の施設において行われても良い。
【００３５】
図３は、本実施形態に係る血流速計測の計測位置、モニタリングスキャンの撮影範囲及び造影剤スキャンの撮影範囲の位置関係を示す図である。図３に示すように、中心軸Ｚは便宜的に被検体の体軸に一致するものとする。Ｙ軸は鉛直軸に規定され、Ｘ軸は、Ｚ軸及びＸ軸に水平に直交する軸に規定されるものとする。また、本実施形態に係る造影剤スキャンの対象は、血管であれば如何なる部位でも良いが、一例として、大動脈の下流にある血管であるものとする。モニタリングスキャンの撮影範囲ＲＳＭは、造影剤スキャンの撮影範囲ＲＳＣの上流側に設定される。撮影範囲ＲＳＭは、Ｚ軸に関して厚みを有する３次元領域でも良いが、Ｚ軸に関して厚みを有しない２次元領域でも良い。造影剤スキャンの撮影範囲ＲＳＣは、Ｚ軸に関して厚みを有しない２次元領域でも良いが、Ｚ軸に関して厚みを有する３次元領域でも良い。典型的には、撮影範囲ＲＳＣのＺ軸に沿う範囲は、Ｘ線検出器１５のＺ軸に関する検出範囲（カバレッジ）よりも広く設定される。
【００３６】
血流速計測器１００による血流計測は、造影剤スキャンの撮影範囲ＲＳＣ内で行われる。血流計測の計測位置は、Ｚ軸に関して離散的な複数の箇所に設定される。なお、狭窄部や瘤など血管径が大きく変化する部位や血管分岐部は計測位置として避けると良い。当該箇所は、血流速が大きく変化するので、造影剤スキャンの撮影条件の決定精度が劣化するからである。
【００３７】
図３に示すように、血流計測は、例えば、上流側から計測位置ＰＡ、計測位置ＰＢ及び計測位置ＰＣの３箇所に設定される。血流計測の計測位置は、具体的には、超音波ドプラ計測におけるレンジゲート又は走査面に対応する。血流速計測器１００は、超音波プローブを有している。計測対象血管に対する超音波ビームの入射角度が６０度以内になるように超音波プローブが当接される。超音波プローブが各計測位置ＰＡ，ＰＢ，ＰＣの体表に当接された状態において各計測位置ＰＡ，ＰＢ，ＰＣに対して超音波の送受信を繰り返し各計測位置ＰＡ，ＰＢ，ＰＣを流れる血液の血流速を計測する。
【００３８】
血流速計測器１００は、超音波ビームと計測対象血管との角度に基づいて、計測された血流速に入射角補正を行うと良い。入射角補正により血管内を流れる血液の流速を正確に計測することができる。また、血流速計測器１００は、走査面内における血管径と血流計測のサンプルサイズとの比に応じた係数を血流速に乗じても良い。
【００３９】
図４は、ステップＳ１において血流速計測器１００により計測される血流速の時間変化を示す図である。図４の縦軸は血流速に規定され、横軸は時間に規定される。図４に示すように、血流速は、拍動に伴い値が変化する。呼吸動による拍動の乱れを低減させ、血流速の計測精度を高めるため、血流速計測器１００は、被検体の呼吸制動下において血流計測を行うと良い。各計測位置ＰＡ，ＰＢ，ＰＣにおいて１心拍又は複数心拍の期間だけ血流速が計測される。血流速計測器１００は、各計測位置ＰＡ，ＰＢ，ＰＣについて、当該期間に亘る血流速の統計値を算出し、当該算出された統計値を各計測位置ＰＡ，ＰＢ，ＰＣの血流速に設定する。統計値としては、例えば、平均値や中央値、重心値等が挙げられる。
【００４０】
なお、血流速計測器１００は、カラードプラ法を用い各計測位置ＰＡ，ＰＢ，ＰＣの血流速の走査面における空間分布を示す血流速分布画像を生成しても良い。血流速分布画像により走査面内における血管部位を把握することも可能となる。血流速計測器１００により計測された血流速又は血流速分布画像のデータは、Ｘ線コンピュータ断層撮影装置に伝送される。
【００４１】
ステップＳ１が行われるとシステム制御回路６３は、モニタリングＲＯＩ設定機能６３１を実行する（ステップＳ２）。ステップＳ２においてシステム制御回路６３は、モニタリングＲＯＩを設定する。ステップＳ２において表示回路５５は、予め撮影されたモニタリングスキャンの撮影範囲に関するＣＴ画像を表示する。ユーザは、表示されたＣＴ画像を観察して、造影剤スキャンの対応血管を特定する。ユーザは、入力回路５７を介して、ＣＴ画像上の対象血管の画像領域を指定する。システム制御回路６３は、ユーザにより入力回路５７を介して指定された画像領域にモニタリングＲＯＩを設定する。あるいは、システム制御回路６３は、血流速計測器１００により計測された血流速分布画像に基づいてモニタリングＲＯＩを設定しても良い。例えば、システム制御回路６３は、血流速分布画像を予め撮影されたＣＴ画像に重ね合わせて表示回路５５に表示する。位置合わせは、画像真毎の座標系に基づく方法や解剖学的基準位置に基づく方法等の既存の方法により行われれば良い。システム制御回路６３は、血流速分布画像の中から血流速成分を有する画像領域を血管領域として特定する。そしてシステム制御回路６３は、特定された血管領域に重畳されるＣＴ画像上の画像領域にモニタリングＲＯＩを設定する。これによりモニタリングＲＯＩを簡易に設定することが可能となる。血流速分布画像とＣＴ画像との重畳表示においてモニタリングＲＯＩの設定は自動に限定されない。例えば、ユーザは、重畳された血流速分布画像を参考にしてＣＴ画像におけるモニタリングＲＯＩの設定箇所を特定し、入力回路５７を介して特定された設定箇所に対応する画像領域を指定する。システム制御回路６３は、ユーザにより入力回路５７を介して指定された画像領域にモニタリングＲＯＩを設定する。
【００４２】
ステップＳ２が行われるとシステム制御回路６３は、撮影条件決定機能６３５を実行する（ステップＳ３）。ステップＳ３においてシステム制御回路６３は、ステップＳ１において計測された血流速に基づいて造影剤スキャンの撮影条件を決定する。以下、撮影条件の決定処理を造影剤スキャンの撮影範囲がＸ線検出器１５のＺ軸に関する検出範囲以下の場合と以上の場合とに分けて説明する。
【００４３】
まずは、造影剤スキャンの撮影範囲がＸ線検出器１５のＺ軸に関する検出範囲以下のときの撮影条件の決定処理について説明する。ステップＳ３においてシステム制御回路６３は、撮影条件として、モニタリングスキャンの終了時から造影剤スキャンの開始時までの移行時間を決定する。
【００４４】
図５は、移行時間の決定処理を示す図である。図５は、Ｚ軸に沿う位置（Ｚ位置）毎の血流速の変化を示している。図５の縦軸は血流速に規定され、横軸はＺ位置に規定される。図５に示すように、モニタリングスキャンの撮影範囲の位置ＰＭと造影剤スキャンの撮影範囲の開始位置ＰＳとの間の距離はＬ１であり、計測位置ＰＡの血流速はＶＡであるとする。距離Ｌ１は、事前に計測されているものとする。システム制御回路６３は、距離Ｌ１と当該距離Ｌ１の血流速とに基づいて、造影剤が位置ＰＭから開始位置ＰＳに到達する予測時間ΔＴ１を決定する。距離Ｌ１の血流速は、事前に計測された複数の計測位置ＰＡ、ＰＢ、ＰＣのうちの位置ＰＭに最も近い計測位置ＰＡの血流速ＶＡに決定される。なお、距離Ｌ１の血流速は、計測位置ＰＡの血流速ＶＡそのものではなく、血流速の変動を考慮してＶＡ−εからＶＡ＋εまでの間の値に決定されても良い。この距離Ｌ１の血流速ＶＡを中心とするＶＡ−εからＶＡ＋εまでの血流速を想定血流速と呼ぶことにする。εの値は、入力回路５７等を介して任意に設定可能である。システム制御回路６３は、予測時間ΔＴ１を基準として、モニタリングスキャンの終了時から造影剤スキャンの開始時までの移行時間（開始タイミング）を決定する。例えば、システム制御回路６３は、予測時間ΔＴ１を移行時間に決定しても良いし、予測時間ΔＴ１にバッファ時間を加算した時間を移行時間に決定しても良い。
【００４５】
なお、より正確に想定血流速を決定するため、システム制御回路６３は、造影剤の伝達関数に基づいて各Ｚ位置の想定血流速を決定しても良い。この際、造影剤スキャンに用いられる造影剤の量、注入時間及び注入速度は、予め設定されている。従ってシステム制御回路６３は、当該造影剤の量、注入時間及び注入速度に基づいて各Ｚ位置の想定血流速を決定しても良い。
【００４６】
次に、造影剤スキャンの撮影範囲がＸ線検出器１５のＺ軸に関する検出範囲以上の場合の撮影条件の決定について説明する。
【００４７】
まず、上記の通り、システム制御回路６３は、モニタリングスキャンの終了時から造影剤スキャンの開始時までの到達時間を決定する。到達時間が設定されるとシステム制御回路６３は、想定血流速に基づいて造影剤スキャンの撮影範囲における造影剤推定存在範囲を算出する。
【００４８】
図６は、造影剤推定存在範囲を示す図である。図６の縦軸はＺ位置に規定され、横軸は時間に規定される。造影剤推定存在範囲は、造影剤が存在すると推定される範囲である。なお、図６においては、造影剤注入位置、モニタリングスキャンの撮影範囲及び造影剤スキャンの撮影範囲に限定して造影剤推定存在範囲を示している。システム制御回路６３は、想定血流速のうちの早い血流速ＶＡ＋εから遅い血流速ＶＡ−εまでの各血流速について造影剤推定存在範囲を算出する。例えば、システム制御回路６３は、早い血流速ＶＡ＋εから遅い血流速ＶＡ−εまでの各血流速について、モニタリングスキャンの撮影範囲の位置ＰＭから造影剤スキャンの撮影範囲内の各Ｚ位置への造影剤の到達時間を算出し、早い血流速ＶＡ＋εに基づく到達時間と遅い血流速ＶＡ−εに基づく到達時間との間の範囲が造影剤推定存在範囲に決定される。
【００４９】
造影剤推定存在範囲が決定されるとシステム制御回路６３は、図６に示すように、最適造影状態範囲を決定する。最適造影状態範囲は、造影剤濃度の安定期、具体的には、造影剤スキャンの撮影範囲において造影剤の濃度が所定の濃度を上回っている状態が実現される時間範囲である。所定の濃度とはＣＴ画像上において造影剤が視認することができる造影剤の濃度である。所定の濃度は経験的に定められ、入力回路５７を介して任意に設定可能である。最適造影状態範囲は、造影剤存在推定範囲のうちの造影剤の到達時間の乱れ等を考慮して、ユーザにより入力回路５７を介して任意の範囲に設定可能である。また、システム制御回路６３は、計算により最適造影状態範囲を算出しても良い。例えば、システム制御回路６３は、早い血流速ＶＡ＋εから遅い血流速ＶＡ−εまでの各血流速について、造影剤の濃度が閾値を上回る時刻に上記到達時間を加算した時刻と、造影剤の濃度が当該閾値を下回る時刻に上記到達時間を加算した時刻との間の時間範囲を最適造影状態範囲に決定する。
【００５０】
最適造影状態範囲が決定されるとシステム制御回路６３は、最適造影状態範囲の中から造影剤スキャンの開始時刻と終了時刻とを決定する。例えば、システム制御回路６３は、最適造影状態範囲のうちの最も早い時刻を造影剤スキャンの開始時刻に設定し、当該開始時刻から造影剤スキャンの撮影時間経過後の時刻を終了時刻に設定する。造影剤スキャンの撮影時間は、予め設定されている。なお、造影剤スキャンの開始時刻は、最適造影状態範囲のうちの最も早い時刻に限定されない。造影剤スキャンの開始時刻と終了時刻とが最適造影状態範囲に収まるのであれば、造影剤スキャンの開始時刻は、如何なる時刻に設定されても良い。モニタリングスキャンの終了時から造影剤スキャンの開始時刻までの時間が、モニタリングスキャンから造影剤スキャンへの移行時間（開始タイミング）に決定される。モニタリングスキャンの終了時から造影剤スキャンの終了時刻までの時間が、終了タイミングに決定される。
【００５１】
造影剤スキャンの移行時間が決定されるとシステム制御回路６３は、造影剤スキャンの種類に応じた撮影条件を決定する。本実施形態に係る造影剤スキャンは、ヘリカルスキャン又はワイドボリュームスキャンであるとする。ヘリカルスキャンは、寝台２３の天板を動かしながらＸ線ＣＴスキャンをするスキャン方式である。ワイドボリュームスキャンは、天板を間欠的に動かしながらＸ線ＣＴスキャンをするスキャン方式である。ヘリカルスキャンの場合、決定される撮影条件はヘリカルピッチであり、ワイドボリュームスキャンの場合、決定される撮影条件は各ボリュームスキャン間の遅延時間である。
【００５２】
図７は、造影剤スキャンがヘリカルスキャンの場合におけるヘリカルピッチの決定処理を説明するための図である。図７の上段はＺ位置に関する血流速の分布を示すグラフであり。図７の下段はＺ位置に関するヘリカルピッチの分布を示すグラフである。図７に示すように、造影剤スキャンの撮影範囲がＸ線検出器１５のＺ軸に関する検出範囲以上の場合、造影剤スキャンの撮影範囲の血流速は１つに固定されず、モニタリングスキャンの撮影範囲ＰＭからの距離が長いほど血流速を減少させると良い。このように血流速を設定することにより、より正確に撮影条件を設定することが可能となる。例えば、造影剤スキャンの撮影範囲の開始位置ＰＳから計測位置ＰＢまでの血流速は計測位置ＰＡの血流速に設定され、計測位置ＰＢから造影剤スキャンの撮影範囲の終了位置ＰＥまでの血流速は計測位置ＰＢの血流速に設定される。
【００５３】
なお、血流速の設定態様は上記のみに限定されない。例えば、造影剤スキャンの撮影範囲の開始位置ＰＳから計測位置ＰＡと計測位置ＰＢとの中間点までの血流速は計測位置ＰＡの血流速に設定され、計測位置ＰＡと計測位置ＰＢとの中間点から計測位置ＰＢと計測位置ＰＣとの中間点までの血流速は計測位置ＰＢの血流速に設定され、計測位置ＰＢと計測位置ＰＣとの中間点から造影剤スキャンの撮影範囲の終了位置ＰＥまでの血流速は計測位置ＰＣの血流速に設定されても良い。
【００５４】
血流速の設定が行われるとシステム制御回路６３は、各Ｚ位置の造影剤濃度が最適造影状態になる時刻に当該Ｚ位置においてＸ線ＣＴスキャンされるようにヘリカルピッチを決定する。換言すれば、各Ｚ位置について造影剤濃度がピークを向かえる時刻にＸ線ＣＴスキャンが行われるようにヘリカルピッチが決定される。例えば、モニタリングスキャンの撮影範囲ＲＳＭにおいてはヘリカルピッチＨＰ１に設定され、造影剤スキャンの撮影範囲ＲＳＣの開始位置ＰＳから計測位置ＰＢまでにおいてはヘリカルピッチＨＰ２に設定され、計測位置ＰＢから造影剤スキャンの撮影範囲の開始位置ＰＥまでにおいてはヘリカルピッチＨＰ３に設定される。ワイドボリュームスキャンをＺ位置毎のヘリカルピッチのデータは、主記憶回路６１に記憶される。
【００５５】
図８は、造影剤スキャンがワイドボリュームスキャンの場合における各ボリュームスキャン間の遅延時間の決定処理を説明するための図である。図８の上段はＺ位置に関する血流速の分布を示すグラフであり。図８の下段はＺ位置に関する遅延時間を示す。図８に示すように、造影剤スキャンの撮影範囲がＸ線検出器１５のＺ軸に関する検出範囲以上の場合、造影剤スキャンの撮影範囲の血流速は１つに固定されず、モニタリングスキャンの撮影範囲ＰＭからの距離が長いほど血流速を減少させると良い。このように血流速を設定することにより、より正確に撮影条件を設定することが可能となる。
【００５６】
血流速の設定が行われるとシステム制御回路６３は、複数のＺ位置各々において最適造影状態となるように、各ボリュームスキャン間の遅延時間を決定する。すなわち、システム制御回路６３は、各Ｚ位置が最適造影状態になる時刻に当該Ｚ位置においてＸ線ＣＴスキャンされるように遅延時間を決定する。換言すれば、各Ｚ位置について造影剤濃度がピークを向かえる時刻にＸ線ＣＴスキャンが行われるように遅延時間が決定される。例えば、造影剤スキャンの撮影範囲ＲＳＣのうちの第１のボリュームスキャンＲＳ１から第２のボリュームスキャンＲＳ２までの遅延時間はΔＴ２に設定され、第２のボリュームスキャンＲＳ２から第３のボリュームスキャンＲＳ３までの遅延時間はΔＴ３に設定される。各ボリュームスキャン間の遅延時間は、撮影条件として主記憶回路６１に記憶される。
【００５７】
決定された撮影条件のデータは、システム制御回路６３により架台制御回路２７に伝送される。
【００５８】
ステップＳ３が行われるとシステム制御回路６３は、モニタリングスキャンを実行する（ステップＳ４）。まず、システム制御回路６３は、モニタリングスキャンを実行するために架台制御回路２７を制御する。架台制御回路２７は、ステップＳ２において設定されたモニタリングＲＯＩを対象とするモニタリングスキャンを実行するために高電圧発生器１７、回転駆動装置２１及びデータ収集回路２９を制御する。モニタリングスキャンにおいてデータ収集回路２９により収集された生データに基づいて、画像再構成装置５１は、モニタリングＲＯＩを対象とする時系列のＣＴ画像を再構成する。
【００５９】
モニタリングスキャンが行われるとシステム制御回路６３は、モニタリング機能６３３を実行する。
【００６０】
図９は、造影剤の時間濃度曲線を示す図である。図９の縦軸は造影剤の濃度に規定され、横軸は時間に規定される。モニタリング機能６３３においてシステム制御回路６３は、モニタリングスキャンにおいて再構成された時系列のＣＴ画像に設定されたモニタリングＲＯＩの造影剤濃度をモニタリングする。システム制御回路６３は、モニタリングＲＯＩの造影剤濃度を閾値Ｔｈに対して比較し、造影剤濃度が閾値Ｔｈを上回ることを待機する。造影剤濃度はＣＴ画像の画素値（ＣＴ値）に帰着される。従って、システム制御回路６３は、具体的には、モニタリングＲＯＩを構成する複数の画素の統計値を閾値Ｔｈに対して比較し、当該統計値が閾値Ｔｈを上回ることを待機する。統計値は、平均値や最小値、最大値、中間値等に設定されれば良い。そして造影剤濃度が閾値Ｔｈを上回ると（時刻Ｔｔｒｉ）、システム制御回路６３は、モニタリングスキャンの終了指示を架台制御回路２７に供給する。以下、時刻Ｔｔｒｉをトリガ時刻と呼ぶことにする。モニタリングスキャンの終了指示を受けた架台制御回路２７は、高電圧発生器１７、回転駆動装置２１及びデータ収集回路２９を制御し、モニタリングスキャンを終了する。
【００６１】
ステップＳ４が行われるとシステム制御回路６３は、造影剤スキャンを実行する（ステップＳ５）。ステップＳ５においてシステム制御回路６３は、造影剤スキャンの開始指示を架台制御回路２７に供給する。開始指示の供給を受けると架台制御回路２７は、トリガ時刻からの経過時間を計測する。架台制御回路２７は、経過時間がステップＳ３において決定された移行時間が経過したことを契機として造影剤スキャンを開始する。具体的には、架台制御回路２７は、経過時間の計測中、寝台駆動装置２５を制御して、モニタリングスキャンの撮影範囲から造影剤スキャンの撮影範囲の開始位置まで寝台２３の天板を移動させる。
【００６２】
そして移行時間が経過したことを契機として、ステップＳ３において決定された撮影条件に従い造影剤スキャンを実行する。造影剤スキャンがヘリカルスキャンの場合、架台制御回路２７は、決定されたヘリカルピッチでのヘリカルスキャンを実行するように高電圧発生器１７、回転駆動装置２１、寝台駆動装置２５及びデータ収集回路２９を制御する。この際、架台制御回路２７は、造影剤スキャンの撮影範囲の各Ｚ位置において、ステップＳ３においてヘリカルピッチを実現するように寝台駆動装置２５を制御する。造影剤スキャンがワイドボリュームスキャンの場合、架台制御回路２７は、遅延時間でのワイドボリュームスキャンを実行するように高電圧発生器１７、回転駆動装置２１、寝台駆動装置２５及びデータ収集回路２９を制御する。この際、架台制御回路２７は、ワイドボリュームスキャンを構成するボリュームスキャンが終了する毎に、当該ボリュームスキャンの終了時からの経過時間を計測する。経過時間の計測中、架台制御回路２７は、寝台駆動装置２５を制御して、次のボリュームスキャンの撮影範囲の開始位置まで寝台２３の天板を移動させる。そして架台制御回路２７は、経過時間がステップＳ３において決定された遅延時間に到達したことを契機として次のボリュームスキャンを開始する。このようにしてワイドボリュームスキャンが行われる。
【００６３】
以上により本実施形態に係る検査シーケンスの説明を終了する。
【００６４】
なお、上記の検査シーケンサは一例である。例えば、造影剤スキャンの開始タイミングはモニタリングスキャンにより収集されたＣＴ画像に基づいて決定され、終了タイミング
を決める撮影条件を、計測位置ＰＡの血流速に基づいて決定されても良い。
【００６５】
本実施形態に係るＸ線コンピュータ断層撮影装置は、Ｘ線管とＸ線検出器とが１体となって被検体の周囲を回転する回転／回転型（ＲＯＴＡＴＥ／ＲＯＴＡＴＥ―ＴＹＰＥ）であるとした。しかしながら、本実施形態はこれに限定されない。本実施形態に係るＸ線コンピュータ断層撮影装置は、リング状に配列された多数のＸ線検出素子が固定され、Ｘ線管のみが被検体の周囲を回転する固定／回転型（ＳＴＡＴＩＯＮＡＲＹ／ＲＯＴＡＴＥ―ＴＹＰＥ）であっても良い。
【００６６】
（応用例）
上記の実施形態において血流速のデータはＺ位置に関して離散的に計測されるものとした。しかしながら、本実施形態はこれに限定されない。例えば、血流速のデータはＺ位置に関して連続的に計測されても良い。
【００６７】
図１０は、応用例に係る血流速計測の計測範囲ＲＳＤ、モニタリングスキャンの撮影範囲ＲＳＭ及び造影剤スキャンの撮影範囲ＲＳＣの位置関係を示す図である。図１０に示すように、計測範囲ＲＳＤは、造影剤スキャンの撮影範囲ＲＳＣに含まれ、Ｚ軸方向に連続した空間領域を占める。血流速計測器１００は、計測範囲ＲＳＣに沿って連続的にドプラ計測を行うことによりＺ軸方向に連続した血流速のデータを生成することができる。なお、応用例においても、本実施形態と同様、血流速計測器１００は、カラードプラ計測を実行しても良い。これにより、図１１に示すように、Ｚ軸方向に連続した血流速分布画像のデータを生成することができる。
【００６８】
図１２は、応用例に係る血流速計測器１００により計測された血流速の分布を示す図である。図に示すように、応用例においては、計測範囲ＲＳＤにおいてＺ軸方向に関して連続した血流速のデータを計測することができる。応用例に係るシステム制御回路６３は、Ｚ軸方向に関して連続した血流速に基づいて造影剤スキャンの撮影条件をより細かく設定することが可能となる。なお、応用例においては、Ｚ軸方向に関して連続的に血流速のデータが得られるので、上記実施形態のように分岐点等の特異点を避ける必要はない。よって、複雑に血管が走行する部位においても正確に撮影条件を決定することが可能となる。
【００６９】
（総括）
上記の説明の通り、本実施形態に係るＸ線コンピュータ断層撮影装置は、架台装置１０、寝台２３、システム制御回路６３及び架台制御回路２７を有している。架台装置１０は、Ｘ線を発生するＸ線管１３と、Ｘ線管１３から発生されたＸ線を検出するＸ線検出器１５と、Ｘ線管１３とＸ線検出器１５とを支持する回転フレーム１１と、Ｘ線検出器１５により検出されたＸ線の強度に関するデータを収集するデータ収集回路２９と、を有する。寝台２３は、被検体が載置された天板を移動する。システム制御回路６３は、血流速計測装置１００により計測された造影剤スキャンの撮影範囲における被検体の血流速に基づいて当該造影剤スキャンの撮影条件を決定する。架台制御回路２７は、決定された撮影条件に従い造影剤スキャンを実行するために架台装置１０と寝台２３とを制御する。
【００７０】
上記の構成により、本実施形態に係るシステム制御回路６３は、造影剤スキャンの撮影範囲において血流速計測装置１００により計測された血流速に基づいて造影剤スキャンの撮影範囲を決定することができる。よって、造影剤スキャンの撮影範囲外の血流速に基づいて撮影条件を決定する場合に比して本実施形態に係るＸ線コンピュータ断層撮影装置は、より高精度に造影剤スキャンの撮影条件を決定することができる。また、本実施形態においては造影剤スキャンの撮影範囲がＸ線検出器のカバレッジよりも広い場合、広範な撮影範囲の各Ｚ位置において造影剤濃度が最適な状態のときにＸ線ＣＴスキャンが行われるようにヘリカルピッチ又はボリュームスキャン間の遅延時間が決定される。よって、血管の分岐等により造影速度が低下する場合においても造影剤濃度のピーク位置を追い越すことなく適切な造影状態でＸ線ＣＴスキャンを行うことができる。これにより確実に最適なタイミングでの造影画像を収集することができる。この結果、造影剤の低減や被検体の被曝線量を低減することもできる。
【００７１】
かくして、本実施形態によれば、造影剤スキャンの精度の向上が可能となる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７３】
１０…架台装置、１３…Ｘ線管、１５…Ｘ線検出器、１７…高電圧発生器、１９…前置コリメータ、２１…回転駆動装置、２３…寝台、２５…寝台駆動装置、２７…架台制御回路、２９…データ収集回路、５０…コンソール、５１…画像再構成装置、５３…画像処理装置、５５…表示回路、５７…入力回路、５９…通信回路、６１…主記憶回路、６３…システム制御回路、５１１…データ記憶回路、５１３…前処理機能、５１５…再構成処理機能、６３１…モニタリングＲＯＩ設定機能、６３３…モニタリング機能、６３５…撮影条件決定機能、６３７…制御機能
【図１】
0006656883.tif 000002
【図２】
0006656883.tif 000003
【図３】
0006656883.tif 000004
【図４】
0006656883.tif 000005
【図５】
0006656883.tif 000006
【図６】
0006656883.tif 000007
【図７】
0006656883.tif 000008
【図８】
0006656883.tif 000009
【図９】
0006656883.tif 000010
【図１０】
0006656883.tif 000011
【図１１】
0006656883.tif 000012
【図１２】
0006656883.tif 000013